(57)【特許請求の範囲】
【請求項１】
コンテンツデータの記録および再生を行うコンテンツデータ記録再生装置であって、
記録媒体に対するコンテンツデータの記録または読み出しを行う記録部および読み出し部と、
記録媒体が、著作権の保護条件に従ったコンテンツデータの扱いが保証される著作権保護対応記録媒体か、または保証されない著作権保護非対応記録媒体かを判別する判別部と、
コンテンツデータが著作権保護非対応記録媒体に記録される場合に、そのコンテンツデータの再生に必要な再生制御情報を生成して保持する再生制御情報管理部と、
コンテンツデータが著作権保護対応記録媒体に記録される場合に、著作権の保護条件に従った処理を行う著作権保護管理部と、
を備え、
上記再生制御情報管理部は、コンテンツデータが著作権保護非対応記録媒体に記録された後に、著作権保護対応記録媒体に記録される場合に、保持している再生制御情報を削除するように構成されていることを特徴とするコンテンツデータ記録再生装置。
【請求項２】
請求項１のコンテンツデータ記録再生装置であって、
上記再生制御情報管理部に保持される再生制御情報は、装置の外部からの読み出しが制限されるように構成されていることを特徴とするコンテンツデータ記録再生装置。
【請求項３】
請求項１のコンテンツデータ記録再生装置であって、さらに、
コンテンツデータが著作権保護非対応記録媒体に記録される場合に上記コンテンツデータを暗号化する暗号化部と、
著作権保護非対応記録媒体から読み出された暗号化コンテンツデータを復号する復号部と、
を備え、
上記再生制御情報は、上記復号に必要な鍵データであることを特徴とするコンテンツデータ記録再生装置。
【請求項４】
請求項３のコンテンツデータ記録再生装置であって、
コンテンツデータが著作権保護非対応記録媒体に記録された後に著作権保護対応記録媒体に記録される場合に、上記読み出し部が、上記著作権保護非対応記録媒体に記録されたコンテンツデータを読み出し、上記復号部が、上記鍵データを用いて復号し、上記記録部が、復号されたコンテンツデータを著作権保護対応記録媒体に記録するように構成されていることを特徴とするコンテンツデータ記録再生装置。
【請求項５】
請求項１のコンテンツデータ記録再生装置であって、
上記記録部が、コンテンツデータを第１の著作権保護非対応記録媒体に記録した後に、第２の著作権保護非対応記録媒体に記録する場合に、上記第１の著作権保護非対応記録媒体への記録の際に生成されたのと同じ再生制御情報を用いて再生可能に記録するように構成されていることを特徴とするコンテンツデータ記録再生装置。
【請求項６】
請求項５のコンテンツデータ記録再生装置であって、
さらに、第１の著作権保護非対応記録媒体から読み出されて再生されたコンテンツデータの形式を変換する形式変換部を備え、
上記記録部は、第２の著作権保護非対応記録媒体に、形式変換されたコンテンツデータを、上記再生制御情報を用いて再生可能に記録するように構成されていることを特徴とするコンテンツデータ記録再生装置。
【請求項７】
請求項１のコンテンツデータ記録再生装置であって、
上記再生制御情報管理部は、著作権保護非対応記録媒体に記録したコンテンツデータを他のコンテンツデータ記録再生装置で再生可能にする場合に、保持している再生制御情報を上記他のコンテンツデータ記録再生装置に出力するとともに削除または無効化することを特徴とするコンテンツデータ記録再生装置。
【請求項８】
請求項１のコンテンツデータ記録再生装置であって、
上記再生制御情報管理部は、他のコンテンツデータ記録再生装置が著作権保護非対応記録媒体に記録したコンテンツデータを当該コンテンツデータ記録再生装置で再生可能にする場合に、上記他のコンテンツデータ記録再生装置から出力された再生制御情報を保持することを特徴とするコンテンツデータ記録再生装置。
【発明の詳細な説明】
【技術分野】
【０００１】
本発明は、著作権の保護が必要な音楽コンテンツなどのコンテンツデータの記録や再生をするコンテンツデータ記録再生装置に関するものである。
【背景技術】
【０００２】
近年、デジタルのコンテンツデータによる音楽コンテンツなどの利用が普及し、不正コピーなどを防止する著作権保護の重要性が増大している。そこで、例えば、いわゆる著作権保護非対応の通常の記録媒体を用い、記録するコンテンツデータに利用制限情報を含めることによって、バックアップコピーなどは自由に作成できる一方、上記利用制限情報に対応する特定の再生装置以外では再生できないようにする手法が用いられている（例えば、特許文献１参照。）。
【０００３】
一方、いわゆる著作権保護対応の記録媒体を用い、記録媒体の識別情報をコンテンツデータに埋め込んで、その記録媒体のコンテンツデータはどの装置でも再生できるようにする一方、他の記録媒体にコピーしたコンテンツデータは再生できないようにする手法も用いられている。また、さらに、上記のように著作権保護対応の記録媒体に記録されたコンテンツデータを他の記録媒体にコピーするとともに、元の記録媒体における識別情報の一部をインクリメントし、元の記録媒体に記録されていたコンテンツデータを無効化して再生できないようにすることによりコンテンツデータの移動を可能にする技術も知られている（例えば、特許文献２参照。）。
【特許文献１】特開２００２−１５０６７６号公報
【特許文献２】特開２００１−１８４３１３号公報
【発明の開示】
【発明が解決しようとする課題】
【０００４】
しかしながら、上記のようなコンテンツデータを再生可能な再生装置を制限することによって著作権保護非対応の記録媒体へのコピーを可能にする手法と、著作権保護対応の記録媒体に記録されたコンテンツデータを無効化することによって移動可能にする手法とは、両立させて適用することができない。すなわち、もし、前者の手法を用いてコピーされたコンテンツデータが、後者の手法を用いて他の記録媒体に移動可能にされたとすると、後者の手法における元のコンテンツデータを無効化する前提が守られないことになる。なぜならば、前者の手法では特に複数のコピーを作成することが制限されないので、全てのコピーを無効化しなければ、実際上無効化したことにならないからである。したがって、一旦、著作権保護非対応の記録媒体にコピーしたコンテンツデータを著作権保護対応の記録媒体に移動させることなどはできず、使い勝手を大幅に向上させることができないという問題点を有していた。
【０００５】
本発明は、かかる点に鑑みてなされたものであり、コンテンツデータを著作権保護非対応の記録媒体にコピーした場合でも、著作権保護対応の記録媒体に移動させて、特定の装置に制限されない再生装置で再生可能にすることなどができるようにすることを目的としている。
【課題を解決するための手段】
【０００６】
上記の課題を解決するため、
本発明は、
コンテンツデータの記録および再生を行うコンテンツデータ記録再生装置であって、
記録媒体に対するコンテンツデータの記録または読み出しを行う記録部および読み出し部と、
記録媒体が、著作権の保護条件に従ったコンテンツデータの扱いが保証される著作権保護対応記録媒体か、または保証されない著作権保護非対応記録媒体かを判別する判別部と、
コンテンツデータが著作権保護非対応記録媒体に記録される場合に、そのコンテンツデータの再生に必要な再生制御情報を生成して保持する再生制御情報管理部と、
コンテンツデータが著作権保護対応記録媒体に記録される場合に、著作権の保護条件に従った処理を行う著作権保護管理部と、
を備え、
上記再生制御情報管理部は、コンテンツデータが著作権保護非対応記録媒体に記録された後に、著作権保護対応記録媒体に記録される場合に、保持している再生制御情報を削除するように構成されていることを特徴とする。
【０００７】
これにより、コンテンツデータの再生に必要な再生制御情報は、コンテンツデータが著作権保護非対応記録媒体（非対応記録媒体）に記録される際に生成され、コンテンツデータ記録再生装置に保持される。そして、非対応記録媒体に記録されたコンテンツデータが著作権保護対応記録媒体（対応記録媒体）に記録される場合に削除される。すなわち、元の非対応記録媒体に記録されているコンテンツデータは、実際に削除されたりしなくても（つまり複数の非対応記録媒体に複製されて全てを削除することが困難な場合などでも）、確実に再生できないようにすることができる。したがって、著作権の保護を保証しつつ、コンテンツデータを非対応記録媒体から対応記録媒体に移動させることなどが可能になる。
【０００８】
ここで、上記再生に必要な再生制御情報としては、例えば、暗号化されたコンテンツデータを復号する鍵が用いられ、コンテンツデータ記録再生装置の外部から読み出しが制限される領域などに格納される。また、コンテンツデータの暗号化方式としては、暗号化と復号とで同じ鍵データが用いられる方式が適用されてもよい。
【０００９】
また、コンテンツデータが非対応記録媒体間で複製される場合には、同じ再生制御情報が用いられるようにすれば、その再生制御情報の削除によって何れの記録媒体に記録されたコンテンツデータも再生できないようにすることができる。なお、非対応記録媒体間で複製される際に、例えばビットレートの変換などの処理が行われるようにしてもよい。
【００１０】
さらに、再生制御情報をコンテンツデータ記録再生装置間で移動させられるようにして、再生可能なコンテンツデータ記録再生装置を変更し得るようにしてもよい。
【発明の効果】
【００１１】
本発明によれば、コンテンツデータを著作権保護非対応の記録媒体にコピーした場合でも、著作権保護対応の記録媒体に移動させて、特定の装置に制限されない再生装置で再生可能にすることなどができる。
【発明を実施するための最良の形態】
【００１２】
以下、本発明の実施形態を図面に基づいて詳細に説明する。
【００１３】
図１は、コンテンツデータ記録再生装置の例としてのＨＤＤ−ＤＶＤレコーダ１０２の要部の構成を示すブロック図である。同図において、
乱数発生部１０４は、乱数を生成するものであって、例えば内蔵タイマーによって、外部から予測困難なデータを出力する。
【００１４】
シリアル番号記憶部１１５は、各機器に固有のＩＤ（識別情報）を記憶するものであって、各記録再生装置ごとに異なった値を記憶していることが望ましい。ただし、必ずしも唯一でなくても他の装置との間で一致する確率がある程度低ければ十分である。
【００１５】
コンテンツ暗号化鍵生成部１０５は、コンテンツデータを記録するごとに、暗号化のための鍵データ（キー）を乱数発生部１０４とシリアル番号記憶部１１５とからの情報を基に生成するものである。ここで重要なのは、鍵データの生成に機器のＩＤと乱数とが用いられているために、他の機器で生成された鍵データがたまたま一致する可能性は非常に少ないうえ、同じ機器でも生成されるたびに異なった鍵データが得られるということである。なお、鍵データを得る方法は上記に限定されず、他の機器での記録や異なるコンテンツデータの記録に際して同じ鍵データの生成される確率が実用程度に低ければよい。また、本実施形態では暗号化と復号とで同じ鍵データが用いられる暗号化方式の例を示すが、互いに異なる鍵データが用いられる暗号化方式が適用されるようにしてもよい。さらに、いわゆる暗号化に限らず、再生のために鍵データなどの再生制御情報が必要とされる符号化や変換などであってもよい。
【００１６】
コンテンツ暗号化鍵記憶部１０６は、生成された鍵データのリストを保持するものである。このコンテンツ暗号化鍵記憶部１０６は、例えば装置の外部からの読み出しが制限される領域に設けられる。
【００１７】
コンテンツ暗号化部１０３は、コンテンツ暗号化鍵記憶部１０６に保持された鍵データを用いて、入力ＡＶデータ（コンテンツデータ）を暗号化し、暗号化コンテンツデータを出力するものである。この暗号化コンテンツデータは、コンテンツ暗号化鍵記憶部１０６に記憶されている鍵データを用いなければ復号することができない。コンテンツ暗号化部１０３は、また、著作権保護方式に対応した暗号化や符号化も行うようになっている。
【００１８】
鍵暗号化部１０７は、上記鍵データ自体を例えば装置に固有の鍵やシリアル番号およびアルゴリズムなどを用いて暗号化するものである。暗号化された暗号化鍵データは暗号化コンテンツデータと伴に記録媒体に記録される。上記暗号化鍵データは後述する鍵データの認証（確認）用であり、必ずしも一意に復号できるものである必要はなく、さらに、このＨＤＤ−ＤＶＤレコーダ１０２で復号が可能である必要もない。すなわち、同一の鍵データに対して同一の暗号化（変換）結果が得られればよいので、一方向性関数による変換など、暗号化鍵データから元の鍵データを得ることが困難または不可能なものであってもよい。
【００１９】
複号部１０８は、コンテンツ暗号化鍵記憶部１０６に保存されている鍵データを用いて、記録媒体（メディア）から読み出された暗号化コンテンツデータを復号し、出力ＡＶデータ等として出力するものである。この複号部１０８は、また、詳細は後述するが、コンテンツ暗号化鍵記憶部１０６に保持されている鍵データが鍵暗号化部１０７によって暗号化された暗号化鍵データと、記録媒体から読み出された暗号化鍵データとを照合したり、照合結果に応じて暗号化コンテンツデータの復号に用いる鍵データや鍵交換インターフェイス部１１４によって削除される鍵データを選択したりする機能も有している。
【００２０】
メディアインターフェイス部１１０は、ＨＤＤ１１１（ハードディスクドライブ）やＤＶＤドライブ１１６を制御し、ＨＤＤ１１１や、ＤＶＤドライブ１１６に装填されたＤＶＤ−ＲＡＭ１１２またはＤＶＤ−Ｒ１１３などの記録媒体に対して、コンテンツデータを記録したり、読み出したりするものである。ここで、以下の説明では、例えば、ＨＤＤ１１１は、コンテンツデータの記録再生にあたって特に著作権の保護に関する制約がない著作権保護非対応記録媒体であるとし、ＤＶＤ−ＲＡＭ１１２、およびＤＶＤ−Ｒ１１３は、著作権の保護条件に従ったコンテンツデータの扱いが保証される著作権保護対応記録媒体であるとして説明する。
【００２１】
著作権情報制御部１０９は、ＤＶＤ−ＲＡＭ１１２等の著作権保護対応記録媒体に対して、著作権保護方式に応じた処理を行う部分である。上記著作権保護方式は特に限定されず、例えば、記録媒体の識別情報を用いた暗号化や符号化を行うことにより、暗号化コンテンツデータを他の記録媒体にコピーしても再生できないようにするものや、コピー可能回数を示す情報等をコンテンツデータに埋め込んでコピー回数が制限されるようにするものなど、種々のものが適用できる。
【００２２】
鍵交換インターフェイス部１１４は、鍵データを他のＨＤＤ−ＤＶＤレコーダ等との間でやりとりするものである。より詳しくは、コンテンツ暗号化鍵記憶部１０６から鍵データを出力（他の機器に移動）する際には、その鍵データをコンテンツ暗号化記憶部から削除し、また、外部（他の機器）から新しい鍵データが入力（移動）された場合には、その鍵データをコンテンツ暗号化鍵記憶部１０６に保持させるようになっている。すなわち、鍵データ自体に対して、既存の著作権保護手法などと同様の扱いが行われるようになっている。
【００２３】
上記のように構成されたＨＤＤ−ＤＶＤレコーダ１０２によって、種々の記録媒体に対して記録や再生が行われる場合の動作を説明する。
【００２４】
（１）  入力ＡＶデータの著作権保護非対応記録媒体（ＨＤＤ１１１）への記録
図２のフローチャートを基に説明する。
【００２５】
（Ｓ２０１）  例えば、記録回数が１回などに制限された放送等によるコンテンツデータとしての入力ＡＶデータをＨＤＤ１１１に記録する場合には、最初に、コンテンツ暗号化鍵生成部１０５が、乱数発生部１０４とシリアル番号記憶部１１５とのデータを基に鍵データを生成する。この鍵データはシリアル番号記憶部１１５と乱数とが一致しない限り同一の鍵データが生成される可能性は極めて低い。つまりこの鍵データの複製は困難である。
【００２６】
（Ｓ２０２）  コンテンツ暗号化鍵記憶部１０６が、生成された鍵データを記憶する。
【００２７】
（Ｓ２０３）  コンテンツ暗号化部１０３が、上記鍵データを用いてコンテンツデータを暗号化する。また、鍵暗号化部１０７が、上記鍵データを暗号化する。
【００２８】
（２０４）  メディアインターフェイス部１１０が、暗号化コンテンツデータと、暗号化鍵データとを対応させてＨＤＤ１１１に書き込む。上記暗号化鍵データは、後述するように、暗号化コンテンツデータを復号する際に、その復号に用いる鍵データ（すなわち暗号化に用いられた鍵データ）を特定するために用いられる。また、記録再生装置が正規にコンテンツデータを再生等し得る装置であることを認証するために用いられる。
【００２９】
なお、記録再生装置の認証のためには、上記のように暗号化鍵データを記録媒体に書き込むのに代えて、装置に固有のシリアル番号などを書き込むようにしてもよい。また、その場合には、復号に用いる鍵データの特定のためには、鍵データのインデックス番号などを書き込むようにして、鍵データの暗号化や暗号化鍵データの書き込みは不要にしてもよい。
【００３０】
（２）  コンテンツデータの著作権保護非対応記録媒体（ＨＤＤ１１１）からの再生
図３のフローチャートを参照しながら説明する。
【００３１】
（Ｓ３０１）  上記のようにしてＨＤＤ１１１に記録された暗号化コンテンツデータを復号して再生する場合、まず、復号するための鍵データの特定が行われる。具体的には、メディアインターフェイス部１１０が、暗号化コンテンツデータと対応してＨＤＤ１１１に記録された暗号化鍵データを読み出す。一方、鍵暗号化部１０７は、コンテンツ暗号化鍵記憶部１０６に保持されている鍵データを順次暗号化し、複号部１０８は、鍵暗号化部１０７によって暗号化された各鍵データと、ＨＤＤ１１１から読み出された暗号化鍵データとを比較する。そして、一致しているものがあれば、暗号化コンテンツデータを記録する際に用いられた（したがって復号に用いられる）鍵データが特定される。また、そのような鍵データがコンテンツ暗号化鍵記憶部１０６に保持されていることが確認されることによって、ＨＤＤ−ＤＶＤレコーダ１０２は正規の記録再生装置であることが認証される。
【００３２】
なお、鍵データの暗号化方式として、暗号化鍵データから復号することが可能な方式が用いられる場合には、ＨＤＤ１１１から読み出した暗号化鍵データを復号し、コンテンツ暗号化鍵記憶部１０６に記憶されている鍵データと比較するようにしてもよいが、コンテンツ暗号化鍵記憶部１０６に保持されている鍵データを暗号化して比較する方が、暗号化方式として一方向性関数などを用いた実質的に復号が不可能な方式を適用することができ、鍵データの秘匿性をより高めることが容易にできる。
【００３３】
ここで、一方向性関数が用いられる場合には、元の鍵データが異なっても暗号化鍵データは一致する可能性が皆無ではない。そのような可能性を考慮する場合には、特定された鍵データによる復号をしてみて、復号されたコンテンツデータのフォーマットなどの検査により正常に再生可能かどうかを確認し、再生可能でなければ、コンテンツ暗号化鍵記憶部１０６に保持されている他の鍵データについて順次同様の処理を繰り返せばよい。
【００３４】
（Ｓ３０２）  複号部１０８は、特定された鍵データを用いて暗号化コンテンツデータを復号し、出力ＡＶデータとして出力することにより、図示しない表示装置による表示などが行われる。
【００３５】
ここで、著作権保護非対応記録媒体に記録された暗号化コンテンツデータは、特に著作権保護のための制約なく他の著作権保護非対応記録媒体に複製することなどができる。ところが、何れの暗号化コンテンツデータも、鍵データがないと再生、利用できない。そして、その鍵データを保持しているのは、上記のようにコンテンツデータの暗号化および記録を行ったＨＤＤ−ＤＶＤレコーダ１０２だけである。したがって、暗号化コンテンツデータの複製が世界中に流通したとしても、当該ＨＤＤ−ＤＶＤレコーダ１０２以外で再生等されることはないので、実質的に著作権は保護される。
【００３６】
（３）  コンテンツデータの著作権保護非対応記録媒体（ＨＤＤ１１１）から著作権保護対応記録媒体（ＤＶＤ−ＲＡＭ１１２またはＤＶＤ−Ｒ１１３）への移動
上記のように一旦ＨＤＤ１１１に記録された暗号化コンテンツデータが例えばＤＶＤ−ＲＡＭ１１２に移動される場合には、次のようにして著作権が保護される。以下、図４のフローチャートを参照しながら説明する。
【００３７】
（Ｓ４０１）  まず、前記図３の（Ｓ３０１）と同じ動作によって、暗号化コンテンツデータを復号するための鍵データの特定が行われる。
【００３８】
（Ｓ４０２）  次に、図３の（Ｓ３０２）と同様にして、暗号化コンテンツデータの復号が行われる。ただし、復号されたコンテンツデータは、出力ＡＶデータとして出力されるのではなく、コンテンツ暗号化部１０３に入力される。なお、例えばモニタに表示される画像を確認しながらダビングするなどのために出力ＡＶデータとしても出力できるようにしてもよい。
【００３９】
（Ｓ４０３）  次に、ＤＶＤ−ＲＡＭ１１２への記録がなされる。詳しくは、まず、コンテンツ暗号化部１０３がコンテンツデータの符号化および／または暗号化を行う。この符号化は、前記（１）著作権保護非対応記録媒体への記録で説明したような鍵データを用いた暗号化とは異なり、ＤＶＤ−ＲＡＭ１１２における著作権の保護条件に従った符号化である。符号化されたコンテンツデータは、メディアインターフェイス部１１０により、著作権情報制御部１０９の制御に基づいて、著作権の保護条件に従った所定の形式でＤＶＤ−ＲＡＭ１１２に書き込まれる。
【００４０】
（Ｓ４０４）  さらに、上記（Ｓ４０１）で特定された鍵データが、コンテンツ暗号化鍵記憶部１０６から削除（無効化）される。このように鍵データが削除されることにより、（１）で説明したような暗号化コンテンツデータの複製が多数作成されていたとしても、何れの暗号化コンテンツデータも復号して再生することが不可能になる。すなわち、実際に暗号化コンテンツデータの記録された記録媒体が装填されていない場合などでも、全ての暗号化コンテンツデータを削除するのと同様のことが行える。なお、暗号化コンテンツデータの記録された記録媒体が装填されている場合や後に装填された場合に、コンテンツデータ自体も削除されるようにしてもよい。
【００４１】
一方、ＤＶＤ−ＲＡＭ１１２には著作権保護条件に従った記録が行われることにより、例えば当該ＤＶＤ−ＲＡＭ１１２からのコンテンツデータの再生だけが可能にされることや、コンテンツデータが他の著作権保護対応記録媒体にコピー（移動）される場合には、当該ＤＶＤ−ＲＡＭ１１２のコンテンツデータは削除されることが保証される。
【００４２】
上記のようにコンテンツデータの削除が保証されるので、例えば、本来著作権保護対応記録媒体に記録したいが、手元にそのような記録媒体がない場合に、一時的に著作権保護非対応記録媒体に記録しておき、後に、著作権保護対応記録媒体に記録し直すような使い方ができ、ユーザの使い勝手を向上させることができる。
【００４３】
（４）  コンテンツデータの著作権保護非対応記録媒体（ＨＤＤ１１１）から著作権保護非対応記録媒体（ＨＤＤ１１１）への再エンコードダビング
暗号化コンテンツデータを復号することなく読み出しと書き込みとをすれば、著作権保護非対応記録媒体どうしの間で暗号化コンテンツデータを複製することができるが、一旦復号して、再エンコード（再符号化）することにより、符号化のビットレートを下げるなどの処理を行って記録することもできる。
【００４４】
具体的には、図５に示すように、まず、図４と同じ鍵データの特定（Ｓ４０１）およびコンテンツデータの再生（復号）（Ｓ４０２）が行われる。その後、（Ｓ５０３）でコンテンツ暗号化部１０３によってビットレートを異ならせた再符号化が行われる。再符号化されたコンテンツデータは、上記（Ｓ４０１）で特定された鍵データ、すなわち元のコンテンツデータが暗号化されたのと同じ鍵データを用いて、図２の（Ｓ２０３）（Ｓ２０４）と同様に暗号化され、同一または他のＨＤＤ１１１等に記録される。
【００４５】
上記のように、同じコンテンツについてビットレート等の違うバージョンが複数記録される場合でも、それぞれ同じ鍵データにより暗号化されて記録されることにより、鍵データの削除によって一度に無効化できることになる。
【００４６】
なお、例えばサムネールのように大幅にビットレートを低下させたコンテンツデータなど、著作権の許容範囲内での複製をする場合には、暗号化しないようにしたりしてもよい。
【００４７】
（５）  ライセンスムーブ（再生可能装置の変更）
著作権保護非対応記録媒体に記録された暗号化コンテンツデータを再生可能な装置の変更は、次のようにして行うことができる。すなわち、例えば図６に示すようにＨＤＤ−ＤＶＤレコーダ１０２・１０２’における鍵交換インターフェイス部１１４・１１４’が接続された状態で、図７に示すような動作が行われる。
【００４８】
（Ｓ７０１）（Ｓ７０２）  まず、各ＨＤＤ−ＤＶＤレコーダ１０２・１０２’で、不正な動作を防ぐため機器の認証を行う。この認証としては、一般に行われている種々の方法などが適用できる。
【００４９】
（Ｓ７０３）（Ｓ７０４）  ＨＤＤ−ＤＶＤレコーダ１０２は、保持している鍵データを出力し、ＨＤＤ−ＤＶＤレコーダ１０２’はこれを受け取る。
【００５０】
（Ｓ７０５）（Ｓ７０６） 鍵データの転送が完了すると、ＨＤＤ−ＤＶＤレコーダ１０２は、保持していた鍵データを削除する一方、ＨＤＤ−ＤＶＤレコーダ１０２’は、受け取った鍵データを保持する。
【００５１】
このような一連の動作により、移動された鍵データを利用する暗号化コンテンツはＨＤＤ−ＤＶＤレコーダ１０２では再生できなくなり、ＨＤＤ−ＤＶＤレコーダ１０２’でだけ再生できるようになる。つまり対応するコンテンツを再生できる機器が増加することにはならないので、不正コピーが大量にばらまかれるという事態が発生することはない。
【００５２】
以上説明してきたように、本発明では、著作権の保護条件に応じてコンテンツデータの記録または再生の少なくとも一方が制限されるコンテンツデータ記録再生装置において、コンテンツの無効化が効率的にかつ安全に行えることになり、したがって、著作権保護が保証しやすくなる。このため、著作権保護非対応記録媒体に対する記録、再生、コピーを行うことができ、また著作権保護非対応記録媒体から、著作権保護対応記録媒体に対するムーブも行うことができ、著作権保護に配慮しながら、比較的自由なバックアップ、個人利用限定のコピーなどを可能にして、ユーザの使い勝手を向上させることができる。
【産業上の利用可能性】
【００５３】
本発明にかかるコンテンツデータ記録再生装置は、コンテンツデータを著作権保護非対応の記録媒体にコピーした場合でも、著作権保護対応の記録媒体に移動させて、特定の装置に制限されない再生装置で再生可能にすることなどができる効果を有し、著作権の保護が必要な音楽コンテンツなどのコンテンツデータを記録したり再生したりするコンテンツデータ記録再生装置等として有用である。
【図面の簡単な説明】
【００５４】
【図１】本発明の実施形態のＨＤＤ−ＤＶＤレコーダ１０２の要部の構成を示すブロック図である。
【図２】同、ＨＤＤ１１１への記録動作を示すフローチャートである。
【図３】同、ＨＤＤ１１１からの再生動作を示すフローチャートである。
【図４】同、ＨＤＤ１１１からＤＶＤ−ＲＡＭ１１２等へのコンテンツデータの移動動作を示すフローチャートである。
【図５】同、ＨＤＤ１１１からＨＤＤ１１１への再エンコードダビング動作を示すフローチャートである。
【図６】同、再生可能装置を変更する場合の機器の接続を示すブロック図である。
【図７】同、再生可能装置の変更動作を示すフローチャートである。
【符号の説明】
【００５５】
１０２      ＨＤＤ−ＤＶＤレコーダ
１０２’    ＨＤＤ−ＤＶＤレコーダ
１０３      コンテンツ暗号化部
１０４      乱数発生部
１０５      コンテンツ暗号化鍵生成部
１０６      コンテンツ暗号化鍵記憶部
１０７      鍵暗号化部
１０８      複号部
１０９      著作権情報制御部
１１０      メディアインターフェイス部
１１１      ＨＤＤ
１１２      ＤＶＤ−ＲＡＭ
１１３      ＤＶＤ−Ｒ
１１４      鍵交換インターフェイス部
１１４’    鍵交換インターフェイス部
１１５      シリアル番号記憶部
１１６      ＤＶＤドライブ
【図１】
0004560086.tif 000002
【図２】
0004560086.tif 000003
【図３】
0004560086.tif 000004
【図４】
0004560086.tif 000005
【図５】
0004560086.tif 000006
【図６】
0004560086.tif 000007
【図７】
0004560086.tif 000008